(57)【特許請求の範囲】
【請求項１】
付属品と動力ユニットを接続するための接続システムを有する調理器具であって、
前記接続システムは：
ロック位置と解放位置との間を移動するように適合された１つまたは複数のロック部材を有する解放機構を有し、１つまたは複数の解放レバーが前記１つまたは複数のロック部材と摺動可能に接続し、
前記解放位置への移動が前記１つまたは複数のロック部材と前記１つまたは複数の解放レバーとの間の相互作用により容易にされ、前記１つまたは複数のロック部材と前記１つまたは複数の解放レバーとは、前記相互作用が前記ロック部材を前記調理器具の中心軸に向かって押すように配置されて前記付属品を前記動力ユニットから解放し、
前記１つまたは複数のロック部材は、前記接続システムを前記動力ユニットに取り付ける接続手段を覆う、
調理器具。
【請求項２】
前記１つまたは複数の解放レバー及び／または前記１つまたは複数のロック部材は傾斜した摺動面を有し、前記傾斜した摺動面は、前記ロック位置と前記解放位置との間の前記１つまたは複数のロック部材の移動方向に関して傾斜する、
請求項１に記載の調理器具。
【請求項３】
前記１つまたは複数のロック部材は及び／または前記１つまたは複数の解放レバーは、１つまたは複数の引付／反発部材と繋がる、
請求項１または２に記載の調理器具。
【請求項４】
前記接続システムは、前記付属品を前記動力ユニットから取り出すための１つまたは複数の引付／反発取り出し部材をさらに有する、
請求項１乃至３のいずれか１項に記載の調理器具。
【請求項５】
前記１つまたは複数のロック部材は、前記１つまたは複数の解放レバー、前記ロック部材、及び前記１つまたは複数の引付／反発部材の間の相互作用に起因して、ロック位置と解放位置との間を移動するように適合される、
請求項１乃至４のいずれか１項に記載の調理器具。
【請求項６】
前記１つまたは複数のロック部材は、前記ロック位置と前記解放位置との間を移動するように適合され、前記ロック位置への移動は、前記１つまたは複数のロック部材と前記１つまたは複数の引付／反発部材との間の相互作用により容易にされる、
請求項１乃至５のいずれか１項に記載の調理器具。
【請求項７】
前記１つまたは複数の引付／反発部材及び／または前記１つまたは複数の引付／反発取り出し部材は、つる巻きばね、サークリップ、弓状ばね、複合ばね、ダイヤフラムスプリング、樽型ばね、引付／反発ゴム及び弾性ポリマー、磁石、またはこれらの任意の組み合わせから成る群から選択される、
請求項１乃至６のいずれか１項に記載の調理器具。
【請求項８】
前記付属品は、前記１つまたは複数のロック部材を受けるよう適合された１つまたは複数の凹部を有する、
請求項１乃至７のいずれか１項に記載の調理器具。
【請求項９】
分解可能な調理器具の組み立て方法であって、インターフェースハウジングと、モータ前部とを有し、前記方法は：
１つまたは複数の引付／反発取り出し部材の前記インターフェースハウジングへの取り付けると；
１つまたは複数の解放レバーの前記インターフェースハウジングへの取り付けと；
前記インターフェースハウジングの前記モータ前部への取り付けと；
１つまたは複数の引付／反発部材の前記モータ前部への取り付けと；
１つまたは複数のロック部材のロック位置と解放位置との間を移動するように適合された前記インターフェースハウジングへの取り付けとを有し、前記解放位置への移動が、前記１つまたは複数のロック部材と前記１つまたは複数の解放レバーとの間の相互作用により容易にされ、前記１つまたは複数のロック部材と前記１つまたは複数の解放レバーとは、前記相互作用が前記ロック部材を前記調理器具の中心軸に向かって押すように配置されて前記付属品を前記動力ユニットから解放し；
前記１つまたは複数のロック部材は、前記モータ前部を前記インターフェースハウジングに取り付ける接続手段を覆う、
方法。
【請求項１０】
接続手段は、ねじの形態を有する、
請求項９に記載の方法。
【請求項１１】
付属品を調理器具の動力ユニットから取り出す方法であって、前記付属品は１つまたは複数のロック凹部を有するとともに前記動力ユニットは接続システムを介して取り付けられる１つまたは複数のロック部材を有し、前記方法は：
−  １つまたは複数の解放レバーに、前記１つまたは複数のロック部材が、前記調理器具の中心軸に向かってロック位置から、１つまたは複数の引付／反発取り出し部材が伸長動作により付属品を動力ユニットから取り出す解放位置へ移動するよう作用すること、
を有し、
前記１つまたは複数のロック部材は、前記接続システムを前記動力ユニットに取り付ける接続手段を覆う、
方法。
【発明の詳細な説明】
【技術分野】
【０００１】
本発明は、解放システムに関し、特に２つの部材が互いに摺動する時に動力ユニットから付属品を解放する調理器具に関する。
【背景技術】
【０００２】
泡立て、切り刻み、混合などの異なる目的のための交換可能な付属品を持つ調理器具はよく知られている。付属品を取り外したい時に、ハンドブレンダー上の２つのボタンを押し、動力ユニットから取り外すために付属品を掴んで捩ることは、最近まで通常であった。時間とともに、解放機構はより洗練されたものになっている。現在、２つボタンのものとは対照的に、１つだけのボタンが動力ユニットから付属品を解放するために必要とされる。この例は特許文献１に見ることができる。ここでは、付属品の連結部分が、ケースまたは動力ユニットにより支えられるラッチ及び舌部と協動する切り込みまたは凹部をどのように備えるかが記載されている。ケースのボタンを押すことにより、係合している舌部が切り込みから外れ、付属品がケースから離される。これは人が付属品を掴んで動力ユニットから取り外すことを必要とする。
【先行技術文献】
【特許文献】
【０００３】
【特許文献１】米国特許第７，３７１，００３号
【発明の概要】
【発明が解決しようとする課題】
【０００４】
現在知られている解決策より容易に扱うことができる解放機構を備えた調理器具を提供することは有益である。本発明の目的は、既知の解放機構に変わる解決策を備えた調理器具を提供することにある。この目的は、本発明の第１、第２、及び第３の態様を提供することにより達成される。
【課題を解決するための手段】
【０００５】
本発明の第１の態様では、付属品と動力ユニットを接続するための接続システムを有する調理器具であって、接続システムはロック位置と解放位置との間を移動するように適合された１つまたは複数のロック部材を有する解放機構を有し、１つまたは複数の解放レバーは１つまたは複数のロック部材と摺動可能に接続する。解放レバーが押し下げられると、ロック部材に解放レバーの方向と垂直または本質的に垂直な動きをもたらすように適合されてもよい。動力ユニットは、機械的な力を提供する任意のユニットと解釈するべきである。機械的な力は、好ましくは付属品への回転力である。この機械的な力は、電気モータ等のある種のモータから伝達することもでき、モータは太陽電池、電池、コンセント、または二次電池により動くこともできる。接続システムは、付属品を取り付ける及び取り出し／分離のための手段を有してもよい。この応用において、動力ユニットは接続システムも有する。
【０００６】
本発明の実施形態によれば、１つまたは複数の解放レバー及び／または１つまたは複数のロック部材はさらに傾斜した摺動面を有してもよい。傾斜した摺動面は、ロック位置と解放位置との間の１つまたは複数のロック部材の移動方向に関して傾斜している。摺動は、例えば解放レバー及び／またはロック部材の移動方向に関する傾斜面で得られてもよい。しかし、摺動は、ロック部材に解放レバーが摺動することができるガイド溝を設けることにより得られてもよい。これは、調理器具の簡単なロックとロック解除を提供する。
【０００７】
本発明の実施形態によれば、１つまたは複数の解放レバー及び／または１つまたは複数のロック部材は１つまたは複数の引付／反発部材と繋がってもよい。これらの引付／反発部材はロック部材と接続して取り付けられてもよい。引付／反発部材は、使われていない時にロック部材を例えばロック位置にするように、動きを容易にする。引付／反発部材に接続される時、解放レバーに取り付けられた使用できる解放ボタン、または解放レバー自身は、使われていない時に開始またはロック位置にさらにとどまってもよい。本発明の実施形態によれば、接続システムはさらに、付属品を動力ユニットから取り出すための１つまたは複数の引付／反発取り出し部材を有してもよい。これは、解放ボタンが押された時に付属品が自動的に取り出されるため、例えば触れるなど付属品をさらに扱う必要が無く有利である。これは特に熱い料理をする場合に実用的である。そして、付属品を取り外そうとする時に、熱い付属品で指をやけどしないであろう。付属品は、ロック位置にある時に引付／反発取り出し部材を収容する凹部を有してもよい。
【０００８】
本発明の実施形態によれば、１つまたは複数のロック部材は、１つまたは複数の解放レバー、ロック部材、及び１つまたは複数の引付／反発部材の間の相互作用に起因して、ロック位置と解放位置との間を移動するように適合されてもよい。これは付属品の動力ユニットへの簡単な取り付けと解放を提供する。引付／反発部材は、解放レバーが押されない場合に、ロック部材及び解放レバー、またはボタンがロック位置に戻ることを確実にする。解放レバーとロック部材との間の相互作用は、ロック部材を調理器具の中心軸に向かって押してもよく、従って付属品を動力ユニットから解放する。
【０００９】
本発明の実施形態によれば、１つまたは複数のロック部材は、ロック位置と解放位置との間を移動するように適合されてもよく、ロック位置への移動は、１つまたは複数のロック部材と１つまたは複数の引付／反発部材との間の相互作用により容易にされる。引付／反発部材は、解放レバーが押されない場合に、ロック部材及び解放レバー、または解放ボタンがロック位置に戻ることを確実にする。
【００１０】
本発明の実施形態によれば、１つまたは複数のロック部材は、ロック位置と解放位置との間を移動するように適合されてもよく、解放位置への移動は、１つまたは複数のロック部材と１つまたは複数の解放レバーとの間の相互作用により容易にされる。解放レバーとロック部材との間の相互作用は、ロック部材を調理器具の中心軸に向かって押してもよく、従って付属品を動力ユニットから解放する。
【００１１】
本発明の実施形態によれば、付属品は、切り刻みユニット、泡立てユニット、挽きユニット、混合ユニット、および棒ユニット、あるいはこれらの任意の組み合わせから成る群から選択することができる。これは、調理器具を多くの異なる目的に用いることができるので有利である。さらに、使用後は、付属品を掃除するだけでよく、動力ユニットを含む調理器具全体を掃除する必要が無い。
【００１２】
本発明の実施形態によれば、１つまたは複数のロック部材は、接続システムを動力ユニットに接続する例えばねじ等の接続手段を覆ってもよい。これは、例えば、ねじ穴またはねじの溝、またはその他の接続領域などの中に汚れが集まらないので有利である。このため、溶接または接着されたユニットと比べ、調理器具または装置は分解可能であり、これは修理作業員が内部部品にアクセスすることを容易にする。さらに、接続手段を隠すことにより、使用者は調理器具自体を分解し始めなくなり、調理器具に何か悪いことまたはいかなる回復不能の損害も与えないであろう。
【００１３】
本発明の実施形態によれば、１つまたは複数の引付／反発部材及び／または引付／反発取り出し部材は、つる巻きばね、サークリップ、弓状ばね、複合ばね、ダイヤフラムスプリング、樽型ばね、引付／反発ゴム及び弾性ポリマー、磁石、またはこれらの任意の組み合わせから成る群から選択することができる。磁石が引付／反発部材として用いられる場合、磁界の方向と磁石の取り付けられた位置と磁石が取り付けられた近くの材料の種類とによって磁石の引付けまたは反発特性を用いることができる。他の磁石の近くに位置する場合、引付けまたは反発特性を優勢にすることができる。鉄等の金属の近くに位置する場合、引付特性を優勢にすることができる。
【００１４】
多くの異なる選択肢が引付ける及び／または反発する特性を実現するために利用可能である。これは、最適で、最も入手しやすく、及び／または最も安価な部材を選択することが可能であるため有利である。
【００１５】
本発明の実施形態によれば、付属品は１つまたは複数のロック部材を受けるよう適合された１つまたは複数の凹部を有してもよい。
【００１６】
凹部は動力ユニットと接続する端部において付属品の内部に配置されてもよい。例えば、凹部が付属品の内周を部分的または完全に囲んで広がる場合、１つの凹部が１つまたは複数のロック部材に対応してもよく、また個々の凹部が個々のロック部材に対応してもよい。これは、１つまたは複数の方向への回転および移動を防ぎ、調理器具をより頑丈にする。これはまた、特定の凹部と特定のロック部材とが位置調整されて互いに接続することができる時に、ある付属品のみが取り付け可能になることを確実にすることもできる。
【００１７】
本発明の第２の態様によれば、分解可能な調理器具の組み立て方法が提供される。この方法はインターフェースハウジングと、モータ前部とを有してもよく、この方法は、１つまたは複数の引付／反発取り出し部材のインターフェースハウジングへの取り付けと、１つまたは複数の解放レバーのインターフェースハウジングへの取り付けと、インターフェースハウジングのモータ前部への取り付けと、１つまたは複数の引付／反発部材のモータ前部への取り付けと、１つまたは複数のロック部材のインターフェースハウジングへの取り付けと、を有してもよい。取り付けは必ずしもこの順番で行われる必要は無く、他の順番で行われてもよい。調理器具を組み立てるほかの方法もまた特許請求の範囲に含まれる。形状及び異なる部品間の接続は、分解可能な調理器具の組み立ておよび分解を容易にする。方法はさらに、インターフェースハウジングに解放ボタンを取り付けることを有してもよい。引付／反発部材が解放ボタンと解放レバーの間に取り付けられてもよい。これは、操作後に解放ボタンが開始またはロック位置に戻ることを確実にする。
【００１８】
本発明の実施形態によれば、この方法はさらに、ねじの形態の接続手段を用いてモータ前部をインターフェースハウジングに取り付けることを有してもよい。モータ前部をインターフェースハウジングにねじを用いて取り付けることにより、技術的な問題が発生した場合に２つの部品を再び分解することが可能となる。ねじの代わりに、取り付けをモータ前部とインターフェースハウジングにねじ山を設け、２つの部品を互いに螺合することで行うこともできる。
【００１９】
本発明の第３の態様によれば、付属品を動力ユニットから取り出す方法が提供される。付属品は１つまたは複数のロック凹部を有するとともに動力ユニットは１つまたは複数のロック部材を有し、この方法は、１つまたは複数の解放レバーに、１つまたは複数のロック部材が、ロック位置から、１つまたは複数の引付／反発取り出し部材が伸長動作により付属品を動力ユニットから取り出す解放位置へ移動するよう作用することを有してもよい。ロック部材がロック位置にある時には、ロック部材は１つまたは複数のロック凹部内にあってもよい。ロック部材が解放位置に移動されると、ロック部材はロック凹部内から移動することができ、付属品を動力ユニットから取り外すことができる。利点は、付属品に触れることが必要とされないことであり、これは熱いあるいはべたべたする料理を準備する際に実用的である。
【００２０】
第１の態様の如何なる特徴も第２または第３の態様に適用することができ、第２の態様の如何なる特徴も第１または第３の態様に適用することができる。第３の態様の如何なる特徴も第１または第２の態様に適用することができる。
【００２１】
調理器具はさらに、フードプロセッサ、ハンドブレンダー、ミキサー、コーヒーミル、またはこれらの任意の組み合わせから成る群から選択することができる。ここに述べていない他の装置が含まれてもよい。
【００２２】
接続システムは、付属品の動力ユニットへの接続を扱う動力ユニットの一部と付属品の一部として解釈できる。接続システムは、例えば回転運動などを提供するために、さまざまな、泡立て、混合、切り刻み、棒、または、挽きユニットを接続することのできる、例えばアルミニウム製などのカップリングをさらに有してもよい。
【００２３】
付属品は、カップリングシステムを用いて動力ユニットに接続することができるユニットである。動力ユニットまたは調理器具は、電池パック、電気モータ等のモータ、例えばバッテリのレベル及び／またはスピードのレベルなどを表示する表示灯、プリント基板、オン／オフボタン、ねじ、接着剤、ばね、支持要素、異なる部品間の接続手段等の組み立て手段を有してもよい。
【００２４】
調理器具は、解放ボタンがその解放位置に復帰することを確実にするための解放ボタンの下に引付／反発部材をさらに有してもよい。
【００２５】
調理器具はまた、解放ボタンをドライバーによりインターフェースハウジングから取り外すことにより分解することができる。解放レバーはそのあと上部位置に移動し、ロック部材を離す。ロック部材を取り外すことができ、その後にねじもまた取り外すことができる。インターフェースハウジングは今や上部側から取り外すことができる。
【００２６】
全般的に、特許請求の範囲で使用される全ての用語は、明示的に規定される場合を除いて、技術分野における通常の意味にしたがって解釈されるべきである。全ての「要素、装置、コンポーネント、手段、ステップなど」への言及は、明示的に規定される場合を除いて、要素、装置、コンポーネント、手段、ステップなどの少なくとも１つを言及するものとしてオープンに解釈されるべきである。
【００２７】
本発明は特許請求の範囲に記載された特徴の全ての可能な組み合わせに関連することに留意されたい。
【図面の簡単な説明】
【００２８】
本発明のこれらのおよび他の態様は、本発明の現在の好適な実施形態を示す添付の図面を参照してより詳細に記載される。
【図１】図１は装置が組み立てられた際の調理器具の概観であって、２つの円は接続システムの可視部分の拡大を示す。
【図２】図２は動力ユニットの実施形態、主に接続システムに含まれるさまざまな部品の分解組立図を示す。
【図３】図３は解放ボタンが押し下げられた場合の実施形態のロック部材に垂直な断面図を示す。
【図４】図４は解放ボタンが押されていない場合の実施形態のロック部材に垂直な断面図を示す。
【図５】図５は解放ボタンが押し下げられた場合の実施形態のロック部材に水平な断面図を示す。
【図６】図６は解放ボタンが押し下げられた場合の実施形態の解放ボタンに水平な断面図を示す。
【図７】図７は解放ボタンが押されていない場合の実施形態のロック部材に水平な断面図を示す。
【図８】図８は解放ボタンが押されていない場合の実施形態の解放ボタンに水平な断面図を示す。
【発明を実施するための形態】
【００２９】
図において、類似の参照番号は類似の要素を指す。
【００３０】
図１は、付属品３、動力ユニット４および接続システム２を有するハンドブレンダーの形の調理器具１を示す。
外側から見た接続システムは、インターフェースハウジング９、ロック部材６、引付／反発取り出し部材７、解放ボタン５、オン／オフボタン１９、および駆動軸（図示せず）を取り付けるためのカップリング８をさらに有する。
【００３１】
図２は実施形態に含まれるさまざまな部品の分解組立図を示す。ここでは、動力ユニット４の内部の主に接続システム２内のいくつかの要素を示す。引付／反発取り出し部材７はインターフェースハウジング９内に取り付けられる。解放レバー１１はインターフェースハウジング９内に取り付けられる。Ｏリング２０がモータ１５に取り付けられてもよい。モータ前部１４がモータ１５に取り付けられる。そして、モータ前部１４は主ハウジング１８に超音波溶接により溶接されてもよい。モータ前部１４には引付／反発部材１２、１０が取り付けられる。そして、解放ボタン５が引付／反発部材１０の上に取り付けられる。インターフェースハウジング９がモータ前面１４に２つのねじ１３により接続される前に、カップリング８がインターフェースハウジング９内に配置される。ロック部材６が解放レバー１１の下から押されるとともに解放ボタン５は押し上げられる。解放レバー１１はインターフェースハウジング９に取り付けられ、ロック部材６はねじ１３を覆う。
【００３２】
図３は、解放ボタンが押し下げられて調理器具１が解放位置にある際の調理器具の垂直断面図を示す。付属品３はインターフェースハウジング９に取り付けられているが、まだ引付／反発解放部材７により押し出されてはいない。駆動軸２２がカップリング８内に配置される。付属品３はさらに、引付／反発部材７が摺動することができる凹部（図示せず）を内壁に有してもよい。図３はさらに、ロック部材６がどのようにねじ１３を覆うかを示している。物品１７は、動力ユニットのバッテリ、モータなどの中身のための支持ユニットである。解放レバー１１が押された際、引付／反発部材１２が押し下げられることが示されている。解放レバー１１は、ロック部材６上を摺動するとともに、ロック部材６に加えて引付／反発部材１２を内側に押す。解放ボタン５が解放されると、引付／反発部材１０（図示せず）および引付／反発部材１２は、解放ボタン５およびロック部材６それぞれのロック位置への復帰を容易にする。凹部２１は、ロック部材６がロック位置にある際に、ロック部材６を収容するためのものであるとともに付属品３が動力ユニット４に固定された状態でいることを確実にするためのものである。
【００３３】
図４は、解放ボタンが押し下げられておらず調理器具１がロック位置にある際の調理器具の垂直断面図を示す。図３にあるような同じ特徴を見ることができるが、ここでは調理器具１をロック位置に保持するために、引付／反発部材１２はロック部材６を付属品３の内壁に押し付ける。したがって、これが、付属品３が接続システム２を用いて動力ユニット４に固定される状態、または調理器具１が使用されていない場合などの付属品が固定されていない状態である。
【００３４】
図５は、解放ボタン５が押し下げられた場合の調理器具１のロック部材６に沿った水平断面図を示す。解放ボタン５押し下げられる際、解放レバー１１はＹ方向に移動し、その間、解放レバーのブラケットはＸ方向に関してインターフェースハウジング９の中心に向かって移動する。そして、付属品３を動力ユニット４に接続するまたは動力ユニット４から取り外すことができる。
【００３５】
図６は、解放ボタン５が押し下げられた場合の調理器具１の解放ボタン５に沿った水平断面図を示す。図は下から見たものである。図６と図８を比較すると、解放ボタン５の位置がどのように変化するかが明確である。ここで図６の解放ボタン５は解放位置にあり、図８の解放ボタン５はロック位置にある。引付／反発部材１０は押し下げられ、ロック部材６は付属品の取り外しなどを容易にするためにインターフェースハウジング９の中心に向かって押される。
【００３６】
図７は、解放ボタン５が押し下げられていない場合の調理器具１のロック部材６に沿った水平断面図を示す。引付／反発部材１２はロック部材６を付属品３の内壁に押し付ける。
【００３７】
図８は、解放ボタン５が押し下げられていない場合の調理器具１の解放ボタン５に沿った水平断面図を示す。引付／反発部材１２はここではロック部材６を外側に押す、つまりインターフェースハウジング９の中心から離れる方に押す。
【００３８】
上述の実施形態において全ての引付／反発部材７、１０、１２はばねであるが、例えばゴム、磁石、またはポリマー等の他の引付／反発部材を用いてもよい。
【００３９】
ここに示されていない更なる実施形態は、機能は類似するが構造が異なる。ロック部材を外側に押すために２つのばねまたは引付／反発部材を用いる代わりに、ロック部材をロック位置に保持するよう一定の圧力を与えるために２つの端部のそれぞれがロック部材に接触する、複合ばねが提供される。解放レバーはロック部材の凹部に沿って摺動し、解放ボタンが押される際には、解放レバーはロック部材および複合ばねを内側に、調理器具の中心軸に向かって押す。これは付属品を分離することを可能にする。例えばモータ前部が切欠きを備えるとともにばねが穴を備える場合にばねをモータ前部に押し付けることにより、接着することにより、または熱間プレス成型等により、複合スプリングはモータ前面に取り付けられる。
【００４０】
当業者は本発明が上述の好適な実施形態に決して限定されないことを理解する。それどころか、多くの変更および変形が添付の特許請求の範囲内で可能である。
【符号の説明】
【００４１】
１  調理器具
２  接続システム
３  付属品
４  動力ユニット
５  解放ボタン
６  ロック部材
７  引付／反発取り出し部材
８  カップリング
９  インターフェースハウジング
１０  引付／反発部材
１１  解放レバー
１２  引付／反発部材
１３  ねじ
１４  モータ前部
１５  モータ
１８  主ハウジング
１９  オン／オフボタン
２０  Ｏリング
【図１】
0005576876.tif 000002
【図２】
0005576876.tif 000003
【図３】
0005576876.tif 000004
【図４】
0005576876.tif 000005
【図５】
0005576876.tif 000006
【図６】
0005576876.tif 000007
【図７】
0005576876.tif 000008
【図８】
0005576876.tif 000009